(57)【要約】【課題】異なるローカルネットワークに接続された印刷装置をデフォルトの印刷装置として設定して印刷ジョブを実行する。【解決手段】印刷サービス毎および用紙サイズ毎に帳票形式により印刷ジョブを実行するデフォルトのプリンタを設定する上段のプリンタ設定欄６７と、印刷用紙の種類を設定する下段の用紙種類設定欄６８との二段の設定欄として構成する。そして、プリンタ設定欄６７には、プルダウンメニューによりローカルネットワークに接続されたプリンタと異なるネットワークに接続されたプリンタとが選択できるようにする。異なるネットワークに接続されたプリンタがデフォルトのプリンタとして設定された印刷ジョブの実行指示を行なうと、そのプリンタのドライバがインストールされた装置に印刷ジョブを送信し、その装置で印刷ジョブの実行を行なわせる。【選択図】        図６
2004280162.tif 000002
【特許請求の範囲】
【請求項１】
印刷ジョブを作成して実行を指示する印刷ジョブ作成装置であって、
用紙サイズを含む印刷条件の設定工程を含む複数の工程により印刷ジョブを作成する印刷ジョブ作成手段と、
印刷ジョブに設定された用紙サイズ毎に、印刷ジョブを実行する印刷装置として、第１のローカルネットワークを介して接続されている少なくとも一つの第１のローカル印刷装置と、該第１のローカルネットワークにグローバルなネットワークを介して接続された第２のローカルネットワークに接続さている少なくとも一つの第２のローカル印刷装置とを含む複数の印刷装置からデフォルトの印刷装置を設定するデフォルト装置設定手段と、
印刷ジョブの実行が要請されたとき、該指示に係る印刷ジョブに設定された用紙サイズに基づいて前記デフォルト装置設定手段により設定された印刷装置で該印刷ジョブが実行されるよう該印刷ジョブの実行を指示するジョブ実行指示手段と、
を備える印刷ジョブ作成装置。
【請求項２】
請求項１記載の印刷ジョブ作成装置であって、
前記第２のローカルネットワークは、前記第２のローカル印刷装置に印刷ジョブの実行を指示可能な印刷実行指示装置が接続されてなり、
前記ジョブ実行指示手段は、前記要請に係る印刷ジョブを実行する印刷装置として前記デフォルト装置設定手段により前記第２のローカル印刷装置が設定されているときには、該要請に係る印刷ジョブが前記印刷実行指示装置に送信されるよう該印刷ジョブを出力する手段である
印刷ジョブ作成装置。
【請求項３】
前記ジョブ実行指示手段は、前記要請に係る印刷ジョブが前記印刷実行指示装置に送信されるよう該印刷ジョブを出力するときには、該印刷ジョブと共に該印刷ジョブの実行の要請に関する実行要請情報を出力する手段である請求項２記載の印刷ジョブ作成装置。
【請求項４】
前記ジョブ実行指示手段は、前記要請に係る印刷ジョブが前記印刷実行指示装置に送信されるよう該印刷ジョブを出力するときには、該印刷ジョブを前記グローバルなネットワークに接続され印刷ジョブを前記印刷実行指示装置に配信可能な印刷管理サーバに送信する手段である請求項２または３記載の印刷ジョブ作成装置。
【請求項５】
前記デフォルト装置設定手段は、前記第１のローカル印刷装置をデフォルトの印刷装置として設定するときには該第１のローカル印刷装置による印刷ジョブの実行に関する実行関連情報を用いて設定し、前記第２のローカル印刷装置をデフォルトの印刷装置として設定するときには該第２のローカル印刷装置と前記印刷実行指示装置とに関する装置関連情報を用いて設定する手段である請求項２ないし４いずれか記載の印刷ジョブ作成装置。
【請求項６】
前記デフォルト装置設定手段は、前記第１のローカル印刷装置をデフォルトの印刷装置として設定するときには該第１のローカル印刷装置のプリンタドライバを前記実行関連情報として用いて設定する手段である請求項５記載の印刷ジョブ作成装置。
【請求項７】
請求項１ないし６いずれか記載の印刷ジョブ作成装置であって、
少なくとも前記第１のローカルネットワークを介して印刷ジョブを取得するジョブ取得手段を備え、
前記ジョブ実行指示手段は、前記取得した印刷ジョブの実行を指示可能な手段である
印刷ジョブ作成装置。
【請求項８】
前記ジョブ取得手段は、前記グローバルなネットワークを介して印刷ジョブを取得する手段である請求項７記載の印刷ジョブ作成装置。
【請求項９】
前記デフォルト装置設定手段は、用紙サイズに対して帳票形式でデフォルトの印刷装置を設定する手段である請求項１ないし８いずれか記載の印刷ジョブ作成装置。
【請求項１０】
前記デフォルト装置設定手段は、用紙サイズ毎に表示される選択可能な印刷装置の一覧から選択することにより用紙サイズ毎のデフォルトの印刷装置を設定する手段である請求項１ないし９いずれか記載の印刷ジョブ作成装置。
【請求項１１】
前記デフォルト装置設定手段は、用紙サイズ毎に設定されたデフォルトの印刷装置に対して用紙種類を設定可能な手段である請求項１ないし１０いずれか記載の印刷ジョブ作成装置。
【請求項１２】
請求項１ないし１１いずれか記載の印刷ジョブ作成装置であって、
前記印刷ジョブ作成手段は、複数種類の印刷サービスから一つの印刷サービスを選択して印刷ジョブを作成する手段であり、
前記デフォルト装置設定手段は、前記印刷サービス毎にデフォルトの印刷装置を設定する手段である
印刷ジョブ作成装置。
【請求項１３】
前記複数種類の印刷サービスは、大伸ばし印刷サービス，ダイジェスト印刷サービス，カレンダー印刷サービス，ポストカード印刷サービス，写真名刺印刷サービス，証明写真印刷サービス，シール印刷サービス，ラベル印刷サービス，アルバム印刷サービスのいずれかを含む請求項１２記載の印刷ジョブ作成装置。
【請求項１４】
請求項１ないし１３いずれか記載の印刷ジョブ作成装置であって、
印刷ジョブを実行する印刷装置を設定する実行装置設定手段を備え、
前記ジョブ実行指示手段は、前記実行装置設定手段により印刷ジョブを実行する印刷装置が設定されているときには該設定された印刷装置で該印刷ジョブが実行されるよう該印刷ジョブの実行を指示し、前記実行装置設定手段により印刷ジョブを実行する印刷装置が設定されていないときには前記デフォルト装置設定手段により設定された印刷装置で該印刷ジョブが実行されるよう該印刷ジョブの実行を指示する手段である
印刷ジョブ作成装置。
【請求項１５】
前記実行装置設定手段は、印刷ジョブに設定された用紙サイズに基づいて前記デフォルト装置設定手段により設定された印刷装置がデフォルト値として設定され、該デフォルト値を変更することにより印刷ジョブを実行する印刷装置を設定する手段である請求項１４記載の印刷ジョブ作成装置。
【請求項１６】
コンピュータを請求項１ないし１５いずれか記載の印刷ジョブ作成装置として機能させるプログラム。
【請求項１７】
コンピュータに印刷ジョブを実行するためのデフォルトの印刷装置を設定するデフォルト装置設定方法であって、
印刷ジョブに設定される用紙サイズ毎に、印刷ジョブを実行する印刷装置として、第１のローカルネットワークを介して接続されている少なくとも一つの第１のローカル印刷装置と、該第１のローカルネットワークにグローバルなネットワークを介して接続された第２のローカルネットワークに接続さている少なくとも一つの第２のローカル印刷装置とを含む複数の印刷装置からデフォルトの印刷装置を設定する
デフォルト装置設定方法。
【請求項１８】
用紙サイズに対して帳票形式でデフォルトの印刷装置を設定する請求項１７記載のデフォルト装置設定方法。
【請求項１９】
用紙サイズ毎に表示される選択可能な印刷装置の一覧から選択することにより用紙サイズ毎のデフォルトの印刷装置を設定する請求項１７または１８記載のデフォルト装置設定方法。
【請求項２０】
複数種類の印刷サービス毎にデフォルトの印刷装置を設定する請求項１７ないし１９いずれか記載のデフォルト装置設定方法。
【請求項２１】
コンピュータに請求項１７ないし２０いずれか記載のデフォルト装置設定方法を実行させるプログラム。
【請求項２２】
印刷ジョブを作成して実行を指示する印刷実行指示方法であって、
（ａ）印刷ジョブに設定された用紙サイズ毎に、印刷ジョブを実行する印刷装置として、前記印刷ジョブ管理装置と第１のローカルネットワークを介して接続されている少なくとも一つの第１のローカル印刷装置と、該第１のローカルネットワークにグローバルなネットワークを介して接続された第２のローカルネットワークに接続さている少なくとも一つの第２のローカル印刷装置とを含む複数の印刷装置からデフォルトの印刷装置を設定し、
（ｂ）印刷ジョブの実行が要請されたとき、該指示に係る印刷ジョブに設定された用紙サイズに基づいて前記デフォルトの印刷装置として設定された印刷装置で該印刷ジョブが実行されるよう該印刷ジョブの実行を指示する
印刷実行指示方法。
【発明の詳細な説明】
【０００１】
【発明の属する技術分野】
本発明は、印刷ジョブ作成装置、印刷実行指示方法、デフォルト装置設定方法およびこれらに用いるプログラムに関し、詳しくは、印刷ジョブを作成して実行を指示する印刷ジョブ作成装置、コンピュータに印刷ジョブを実行するためのデフォルトの印刷装置を設定するデフォルト装置設定方法、印刷ジョブを作成して実行を指示する印刷実行指示方法およびこれらに用いるプログラムに関する。
【０００２】
【従来の技術】
従来、この種の印刷ジョブ作成装置としては、デジタルカメラで撮影した画像を読み込んで簡単な修正を施したり、ポストカードやアルバムなどのレイアウトに組み込むと共に印刷条件を設定して印刷したりするものが提案されている。この装置では、予め写真を読み込んで所望のカテゴリーに分類してフィルムのように保存しておき、印刷ジョブの作成を、フィルムの選択，ポストカードの作成やアルバム印刷，カレンダーの作成などの印刷サービスの選択，印刷する写真の選択，スタイルや印刷オプションやプリンタを指定するプリント指定，写真が組み込まれたページのレイアウトの調整，印刷位置の微調整や印刷部数の入力と共に印刷実行を指示する印刷の工程で行なっている。プリンタの選択は、プリント指定の際にＯＳ（オペレーションシステム）で通常使用するプリンタとして設定されたプリンタが選択欄にデフォルトとして表示され、プルダウンメニューからプリンタを選択することができるようになっている（非特許文献１参照）。
【０００３】
【非特許文献１】
「デジカメｄｅ！！同時プリント６ユーザーズ・マニュアル」，第１版，エー・アイ・ソフト株式会社，２００２年７月，ｐ．１００−１０４
【０００４】
【発明が解決しようとする課題】
しかしながら、こうした印刷ジョブ作成装置は、一般家庭の個人を対象に作成されているため、業務として用いた場合には、印刷効率が低いものになってしまう。個人の場合、通常はＡ４サイズやＢ４サイズまでの印刷が可能な１台のプリンタがコンピュータに接続されており、プリンタの指定は通常そのプリンタを用いるだけであるから、デフォルトとしてはそのプリンタが設定されておればよいが、業務として用いた場合には、印刷できるサイズが異なると共にセットされている用紙種類も異なる複数台のプリンタを用いて印刷することが想定され、印刷毎にプリンタを選択するものとすれば、印刷効率の低下を招いてしまう。
【０００５】
本発明の印刷ジョブ作成装置および印刷実行指示方法は、印刷ジョブに応じた印刷装置で印刷ジョブを実行することを目的の一つとする。また、本発明の印刷ジョブ作成装置および印刷実行指示方法は、異なるローカルネットワークに接続された印刷装置をデフォルトの印刷装置として印刷ジョブを実行することを目的の一つとする。本発明の印刷ジョブ作成装置および印刷実行指示方法並びにデフォルト装置設定方法は、印刷ジョブに応じた印刷装置をデフォルトの印刷装置として簡易に設定することを目的の一つとする。また、本発明の印刷ジョブ作成装置および印刷実行指示方法並びにデフォルト装置設定方法は、異なるローカルネットワークに接続された印刷装置をデフォルトの印刷装置として設定することを目的の一つとする。本発明の印刷ジョブ作成装置用のプログラムは、コンピュータを、印刷ジョブに応じた印刷装置で印刷ジョブを実行すると共に異なるローカルネットワークに接続された印刷装置をデフォルトの印刷装置として印刷ジョブを実行する印刷ジョブ作成装置として機能させることを目的とする。また、本発明のデフォルト装置設定方法用のプログラムは、印刷ジョブに応じた印刷装置をデフォルトの印刷装置として簡易に設定すると共に異なるローカルネットワークに接続された印刷装置をデフォルトの印刷装置として設定する処理をコンピュータに実行させることを目的とする。
【０００６】
【課題を解決するための手段およびその作用・効果】
本発明の印刷ジョブ作成装置、印刷実行指示方法、デフォルト装置設定方法およびこれらに用いるプログラムは、上述の目的の少なくとも一部を達成するために以下の手段を採った。
【０００７】
本発明の印刷ジョブ作成装置は、
印刷ジョブを作成して実行を指示する印刷ジョブ作成装置であって、
用紙サイズを含む印刷条件の設定工程を含む複数の工程により印刷ジョブを作成する印刷ジョブ作成手段と、
印刷ジョブに設定された用紙サイズ毎に、印刷ジョブを実行する印刷装置として、第１のローカルネットワークを介して接続されている少なくとも一つの第１のローカル印刷装置と、該第１のローカルネットワークにグローバルなネットワークを介して接続された第２のローカルネットワークに接続さている少なくとも一つの第２のローカル印刷装置とを含む複数の印刷装置からデフォルトの印刷装置を設定するデフォルト装置設定手段と、
印刷ジョブの実行が要請されたとき、該指示に係る印刷ジョブに設定された用紙サイズに基づいて前記デフォルト装置設定手段により設定された印刷装置で該印刷ジョブが実行されるよう該印刷ジョブの実行を指示するジョブ実行指示手段と、
を備えることを要旨とする。
【０００８】
この本発明の印刷ジョブ作成装置では、印刷ジョブの実行が要請されたときには、第１のローカルネットワークに接続された第１のローカル印刷装置やこの第１のローカルネットワークにグローバルなネットワークを介して接続された第２のローカルネットワークに接続された第２のローカル印刷装置のうち印刷ジョブに設定された用紙サイズに対してデフォルトの印刷装置として設定された印刷装置で印刷ジョブが実行されるよう印刷ジョブの実行を指示する。この結果、印刷ジョブを実行する印刷装置を設定することなく、デフォルトの印刷装置として設定された第１のローカル印刷装置や第２のローカル印刷装置で印刷ジョブを実行することができる。しかも、デフォルトの印刷装置は用紙サイズ毎に設定されているから、印刷ジョブに応じた印刷装置で印刷ジョブを実行することができる。
【０００９】
こうした本発明の印刷ジョブ作成装置において、前記第２のローカルネットワークは前記第２のローカル印刷装置に印刷ジョブの実行を指示可能な印刷実行指示装置が接続されてなり、前記ジョブ実行指示手段は、前記要請に係る印刷ジョブを実行する印刷装置として前記デフォルト装置設定手段により前記第２のローカル印刷装置が設定されているときには、該要請に係る印刷ジョブが前記印刷実行指示装置に送信されるよう該印刷ジョブを出力する手段であるものとすることもできる。こうすれば、印刷ジョブを受信した第２のローカルネットワークに接続された印刷実行指示装置により印刷ジョブをデフォルトの印刷装置で印刷することができる。ここで、印刷実行指示装置は、印刷装置と一体のものとして構成することもできる。
【００１０】
この印刷ジョブを印刷実行指示装置に送信する態様の本発明の印刷ジョブ作成装置において、前記ジョブ実行指示手段は、前記要請に係る印刷ジョブが前記印刷実行指示装置に送信されるよう該印刷ジョブを出力するときには、該印刷ジョブと共に該印刷ジョブの実行の要請に関する実行要請情報を出力する手段であるものとすることもできる。こうすれば、印刷実行指示装置に印刷ジョブの実行の要請を知らしめることができる。
【００１１】
また、印刷ジョブを印刷実行指示装置に送信する態様の本発明の印刷ジョブ作成装置において、前記ジョブ実行指示手段は、前記要請に係る印刷ジョブが前記印刷実行指示装置に送信されるよう該印刷ジョブを出力するときには、該印刷ジョブを前記グローバルなネットワークに接続され印刷ジョブを前記印刷実行指示装置に配信可能な印刷管理サーバに送信する手段であるものとすることもできる。こうすれば、印刷実行指示装置の状態に拘わらず、印刷ジョブを送信することができる。
【００１２】
さらに、印刷ジョブを印刷実行指示装置に送信する態様の本発明の印刷ジョブ作成装置において、前記デフォルト装置設定手段は、前記第１のローカル印刷装置をデフォルトの印刷装置として設定するときには該第１のローカル印刷装置による印刷ジョブの実行に関する実行関連情報を用いて設定し、前記第２のローカル印刷装置をデフォルトの印刷装置として設定するときには該第２のローカル印刷装置と前記印刷実行指示装置とに関する装置関連情報を用いて設定する手段であるものとすることもできる。この態様の本発明の印刷ジョブ作成装置において、前記デフォルト装置設定手段は、前記第１のローカル印刷装置をデフォルトの印刷装置として設定するときには該第１のローカル印刷装置のプリンタドライバを前記実行関連情報として用いて設定する手段であるものとすることもできる。
【００１３】
本発明の印刷ジョブ作成装置において、少なくとも前記第１のローカルネットワークを介して印刷ジョブを取得するジョブ取得手段を備え、前記ジョブ実行指示手段は、前記取得した印刷ジョブの実行を指示可能な手段であるものとすることもできる。こうすれば、印刷ジョブを取得して実行することができる。したがって、第１のローカルネットワークと第２のローカルネットワークにそれぞれ本発明の印刷ジョブ作成装置を接続すれば、相互に印刷ジョブのやりとりを行なうことができる。この態様の本発明の印刷ジョブ作成装置において、前記ジョブ取得手段は、前記グローバルなネットワークを介して印刷ジョブを取得する手段であるものとすることもできる。
【００１４】
本発明の印刷ジョブ作成装置において、前記デフォルト装置設定手段は、用紙サイズに対して帳票形式でデフォルトの印刷装置を設定する手段であるものとすることもできる。こうすれば、簡易にデフォルトの印刷装置を設定することができる。
【００１５】
本発明の印刷ジョブ作成装置において、前記デフォルト装置設定手段は、用紙サイズ毎に表示される選択可能な印刷装置の一覧から選択することにより用紙サイズ毎のデフォルトの印刷装置を設定する手段であるものとすることもできる。こうすれば、より簡易にデフォルトの印刷装置を設定することができる。
【００１６】
本発明の印刷ジョブ作成装置において、前記デフォルト装置設定手段は、用紙サイズ毎に設定されたデフォルトの印刷装置に対して用紙種類を設定可能な手段であるものとすることもできる。こうすれば、より印刷ジョブに応じたものとすることができる。
【００１７】
本発明の印刷ジョブ作成装置において、前記印刷ジョブ作成手段は複数種類の印刷サービスから一つの印刷サービスを選択して印刷ジョブを作成する手段であり、前記デフォルト装置設定手段は前記印刷サービス毎にデフォルトの印刷装置を設定する手段であるものとすることもできる。こうすれば、印刷サービス毎にデフォルトの印刷装置を設定するから、印刷ジョブにより応じた印刷装置をデフォルトとして設定することができる。この態様の本発明の印刷ジョブ作成装置において、前記複数種類の印刷サービスは、大伸ばし印刷サービス，ダイジェスト印刷サービス，カレンダー印刷サービス，ポストカード印刷サービス，写真名刺印刷サービス，証明写真印刷サービス，シール印刷サービス，ラベル印刷サービス，アルバム印刷サービスのいずれかを含むものとすることもできる。
【００１８】
本発明の印刷ジョブ作成装置において、印刷ジョブを実行する印刷装置を設定する実行装置設定手段を備え、前記ジョブ実行指示手段は、前記実行装置設定手段により印刷ジョブを実行する印刷装置が設定されているときには該設定された印刷装置で該印刷ジョブが実行されるよう該印刷ジョブの実行を指示し、前記実行装置設定手段により印刷ジョブを実行する印刷装置が設定されていないときには前記デフォルト装置設定手段により設定された印刷装置で該印刷ジョブが実行されるよう該印刷ジョブの実行を指示する手段であるものとすることもできる。こうすれば、所望の印刷装置により印刷ジョブを実行することができる。この態様の本発明の印刷ジョブ作成装置において、前記実行装置設定手段は、印刷ジョブに設定された用紙サイズに基づいて前記デフォルト装置設定手段により設定された印刷装置がデフォルト値として設定され、該デフォルト値を変更することにより印刷ジョブを実行する印刷装置を設定する手段であるものとすることもできる。こうすれば、印刷ジョブを実行する印刷装置を容易に設定することができる。
【００１９】
本発明の印刷ジョブ作成装置用のプログラムは、コンピュータを、上述のいずれかの態様の本発明の印刷ジョブ作成装置、即ち、基本的には、印刷ジョブを作成して実行を指示する印刷ジョブ作成装置であって、用紙サイズを含む印刷条件の設定工程を含む複数の工程により印刷ジョブを作成する印刷ジョブ作成手段と、印刷ジョブに設定された用紙サイズ毎に、印刷ジョブを実行する印刷装置として、第１のローカルネットワークを介して接続されている少なくとも一つの第１のローカル印刷装置と、該第１のローカルネットワークにグローバルなネットワークを介して接続された第２のローカルネットワークに接続さている少なくとも一つの第２のローカル印刷装置とを含む複数の印刷装置からデフォルトの印刷装置を設定するデフォルト装置設定手段と、印刷ジョブの実行が要請されたとき、該指示に係る印刷ジョブに設定された用紙サイズに基づいて前記デフォルト装置設定手段により設定された印刷装置で該印刷ジョブが実行されるよう該印刷ジョブの実行を指示するジョブ実行指示手段と、を備える印刷ジョブ作成装置として機能させることを要旨とする。
【００２０】
この本発明の印刷ジョブ作成装置用のプログラムでは、コンピュータを上述のいずれかの態様の本発明の印刷ジョブ作成装置として機能させるから、本発明の印刷ジョブ作成装置が奏する効果、例えば、印刷ジョブを実行する印刷装置を設定することなくデフォルトの印刷装置として設定された第１のローカル印刷装置や第２のローカル印刷装置で印刷ジョブを実行することができる効果や印刷ジョブに応じた印刷装置で印刷ジョブを実行することができる効果などと同様な効果を奏することができる。
【００２１】
本発明のデフォルト装置設定方法は、
コンピュータに印刷ジョブを実行するためのデフォルトの印刷装置を設定するデフォルト装置設定方法であって、
印刷ジョブに設定される用紙サイズ毎に、印刷ジョブを実行する印刷装置として、第１のローカルネットワークを介して接続されている少なくとも一つの第１のローカル印刷装置と、該第１のローカルネットワークにグローバルなネットワークを介して接続された第２のローカルネットワークに接続さている少なくとも一つの第２のローカル印刷装置とを含む複数の印刷装置からデフォルトの印刷装置を設定する
ことを要旨とする。
【００２２】
この本発明のデフォルト装置設定方法によれば、印刷ジョブに設定される用紙サイズ毎に、第１のローカルネットワークを介して接続されている第１のローカル印刷装置やこの第１のローカルネットワークにグローバルなネットワークを介して接続された第２のローカルネットワークに接続さている第２のローカル印刷装置のうちからデフォルトの印刷装置を設定するから、印刷ジョブに応じた印刷装置をデフォルトの印刷装置として設定することができると共に異なるローカルネットワークに接続された印刷装置をデフォルトの印刷装置として設定することができる。
【００２３】
こうした本発明のデフォルト装置設定方法において、用紙サイズに対して帳票形式でデフォルトの印刷装置を設定するものとすることもできる。こうすれば、より簡易にデフォルトの印刷装置を設定することができる。
【００２４】
また、本発明のデフォルト装置設定方法において、用紙サイズ毎に表示される選択可能な印刷装置の一覧から選択することにより用紙サイズ毎のデフォルトの印刷装置を設定するものとすることもできる。こうすれば、より簡易にデフォルトの印刷装置を設定することができる。
【００２５】
さらに、本発明のデフォルト装置設定方法において、複数種類の印刷サービス毎にデフォルトの印刷装置を設定するものとすることもできる。こうすれば、印刷サービス毎にデフォルトの印刷装置を設定することができる。
【００２６】
本発明のデフォルト装置設定方法用のプログラムは、コンピュータに上述のいずれかの態様の本発明のデフォルト装置設定方法、即ち、基本的には、印刷ジョブを実行するためのデフォルトの印刷装置を設定するデフォルト装置設定方法であって、印刷ジョブに設定される用紙サイズ毎に、印刷ジョブを実行する印刷装置として、第１のローカルネットワークを介して接続されている少なくとも一つの第１のローカル印刷装置と、該第１のローカルネットワークにグローバルなネットワークを介して接続された第２のローカルネットワークに接続さている少なくとも一つの第２のローカル印刷装置とを含む複数の印刷装置からデフォルトの印刷装置を設定するデフォルト装置設定方法を実行させることを要旨とする。
【００２７】
このデフォルト装置設定方法用のプログラムによれば、コンピュータに上述のいずれかの態様の本発明のデフォルト装置設定方法を実行させるから、本発明のデフォルト装置設定方法が奏する効果、例えば、印刷ジョブに応じた印刷装置をデフォルトの印刷装置として設定することができる効果や異なるローカルネットワークに接続された印刷装置をデフォルトの印刷装置として設定することができる効果などと同様な効果を奏することができる。
【００２８】
本発明の印刷実行指示方法は、
印刷ジョブを作成して実行を指示する印刷実行指示方法であって、
（ａ）印刷ジョブに設定された用紙サイズ毎に、印刷ジョブを実行する印刷装置として、前記印刷ジョブ管理装置と第１のローカルネットワークを介して接続されている少なくとも一つの第１のローカル印刷装置と、該第１のローカルネットワークにグローバルなネットワークを介して接続された第２のローカルネットワークに接続さている少なくとも一つの第２のローカル印刷装置とを含む複数の印刷装置からデフォルトの印刷装置を設定し、
（ｂ）印刷ジョブの実行が要請されたとき、該指示に係る印刷ジョブに設定された用紙サイズに基づいて前記デフォルトの印刷装置として設定された印刷装置で該印刷ジョブが実行されるよう該印刷ジョブの実行を指示する
ことを要旨とする。
【００２９】
この本発明の印刷実行指示方法によれば、印刷ジョブの実行が要請されたときに、第１のローカルネットワークに接続された第１のローカル印刷装置やこの第１のローカルネットワークにグローバルなネットワークを介して接続された第２のローカルネットワークに接続された第２のローカル印刷装置のうち印刷ジョブに設定された用紙サイズに対してデフォルトの印刷装置として設定された印刷装置で印刷ジョブが実行されるよう印刷ジョブの実行を指示するから、印刷ジョブを実行する印刷装置を設定することなく、デフォルトの印刷装置として設定された第１のローカル印刷装置や第２のローカル印刷装置で印刷ジョブを実行することができる。しかも、デフォルトの印刷装置は用紙サイズ毎に設定されているから、印刷ジョブに応じた印刷装置で印刷ジョブを実行することができる。
【００３０】
【発明の実施の形態】
次に、本発明の実施の形態を実施例を用いて説明する。図１は、本発明の一実施例である印刷ジョブ作成装置２０を備える印刷ジョブ管理システム１０の構成の概略を示す構成図である。実施例の印刷ジョブ管理システム１０は、図示するように、印刷ジョブ作成装置２０やインクジェットプリンタ４６などが接続されたローカルネットワーク１４と印刷ジョブ作成装置２０やインクジェットプリンタ４７，大型プリンタ４８などが接続されたローカルネットワーク１５とが各々ファイヤウォール１６，１７を介してインターネットのようなグローバルなネットワーク１２により接続されて構成されており、ネットワーク１２にはジョブ管理装置４０が接続されている。説明の容易のため、ローカルネットワーク１４は店舗Ａに構築されており、ローカルネットワーク１５は店舗Ｂに構築されているものとする。即ち、店舗Ａには印刷ジョブ作成装置２０とインクジェットプリンタ４６とが設置されてローカルネットワーク１４に接続されており、店舗Ｂには印刷ジョブ作成装置２０とインクジェットプリンタ４７と大型プリンタ４８とが設置されてローカルネットワーク１５に接続されているものとするのである。
【００３１】
図２は、実施例の印刷ジョブ作成装置２０の構成の概略を示す説明図である。実施例の印刷ジョブ作成装置２０は、アプリケーションソフトウエアとしての図示しない印刷ジョブ作成プログラムと印刷に用いるテンプレート画像などの支援データとがインストールされた一般的なコンピュータとして構成されており、印刷ジョブ作成プログラムが実行されたときに印刷ジョブ作成装置として機能する。実施例の印刷ジョブ作成装置２０は、カレンダーの作成やポストカードの作成など複数の印刷サービスとしての印刷ジョブを作成すると共に印刷ジョブの実行を指示する装置であり、図２に示すように、機能ブロックとして、複数の印刷サービスから印刷ジョブを作成するサービスの設定を受け付けるサービス設定管理部２１と、印刷ジョブに用いる画像の登録を管理する画像登録管理部２２と、印刷ジョブに用いるテンプレートの設定を管理するテンプレート設定管理部２３と、画像のレイアウトの調整や画像に施す編集を管理するレイアウト編集管理部２４と、印刷の設定や指示を管理する印刷管理部２５と、作成中の印刷ジョブの中断処理を行なうジョブ中断処理部２６と、中断された作成中の印刷ジョブ（以下、作成中ジョブという）の作成を再開するジョブ再開処理部２７と、印刷の実行指示がなされた印刷ジョブの送信を管理するジョブ送信管理部２８と、ジョブ管理装置４０から送信される印刷を実行すべき印刷ジョブの受信を管理するジョブ受信管理部２９と、プリンタの設定を管理するプリンタ設定管理部３０とを備える。実施例の印刷ジョブ作成装置２０は、図示しないが、この他、作成中ジョブを他の印刷ジョブ作成装置２０に送受信するためのジョブ入出力管理部や作成中ジョブや印刷実行済みのジョブを複製して新たな印刷ジョブの作成を開始するジョブ複製処理部なども備える。図１には、紙面の都合上、ローカルネットワーク１４，１５には、１台の印刷ジョブ作成装置２０が接続されているものとして示したが、両ローカルネットワーク１４，１５には複数台の印刷ジョブ作成装置２０を接続することができる。
【００３２】
インクジェットプリンタ４６やインクジェットプリンタ４７は、Ａ４サイズまでの高品質なカラー印刷が可能なプリンタとして構成されており、大型プリンタ４８は、Ａ１サイズまでの高品質なカラー印刷が可能なプリンタとして構成されている。また、図１には、紙面の都合上、ローカルネットワーク１４には１台のインクジェットプリンタ４６が、ローカルネットワーク１５には１台のインクジェットプリンタ４７と１台の大型プリンタ４８とが接続されているものとして示したが、ローカルネットワーク１４，１５には同一または異なる機種の複数台のプリンタを接続することができる。
【００３３】
図３は、ジョブ管理装置４０の構成の概略を示す構成図である。ジョブ管理装置４０は、各印刷ジョブ作成装置２０から送信された印刷を実行する印刷ジョブのファイルを受け付けると共にそのファイルの送信先として指定された他の印刷ジョブ作成装置２０に送信するための管理サーバとして構成されており、図示するように、印刷ジョブ作成装置２０から送信されるジョブファイルの受信を管理するジョブ受信管理部４１と、ジョブファイルの送信先としての印刷ジョブ作成装置２０への送信を管理するジョブ送信管理部４２と、ジョブ受信管理部４１によるジョブファイルの受信の管理に用いられると共にジョブ送信管理部４２によるジョブファイルの送信の管理に用いられるジョブ管理データベース４４とを備える。
【００３４】
次に、こうして構成された実施例の印刷ジョブ作成装置２０やジョブ管理装置４０の動作について説明する。以下は、印刷ジョブ作成装置２０の動作を中心に説明し、必要に応じてジョブ管理装置４０の動作について説明する。
【００３５】
図４は、アプリケーションソフトウエアとしての図示しない印刷ジョブ作成プログラムを起動したときの印刷ジョブ作成装置２０の画面上に表示されるメニュー画面６０の一例を示す説明図である。図４のメニュー画面６０には、印刷サービスを選択するためのサービス選択領域６１と、印刷ジョブを一覧表示するジョブリスト領域６２とが設けられている。サービス選択領域６１には、プリントサービスの選択ボタンとして、画像を大判印刷する「大伸ばし」ボタン６１ａ，複数の画像をダイジェストとして印刷する「ダイジェスト」ボタン６１ｂ，画像を用いてカレンダーを印刷する「カレンダー」ボタン６１ｃ，種々のデザインのテンプレートを用いて画像を印刷する「アイデア」ボタン６１ｄ，ハガキに画像を印刷する「ポストカード」ボタン６１ｅ，写真付きの名刺を印刷する「写真名刺」ボタン６１ｆ，証明写真を印刷する「証明写真」ボタン６１ｇ，多数の画像のインデックスを印刷する「インデックス」ボタン６１ｈ，画像を用いたシールを作成する「シール」ボタン６１ｉ，ＣＤやＤＶＤなどのラベルを作成する「ラベル」６１ｊなど、アルバムサービスの選択ボタンとして、種々のデザインのテンプレートを用いてアルバムを作成する「デザイン」ボタン６１ｋ，シンプルなテンプレートを用いてアルバムを作成する「シンプル」６１ｌなど、ＣＤ書き込みサービスとして、画像をそのままＣＤに書き込む「ＣＤ書き込み（無変換）」ボタン６１ｍ，画像のサイズを１６００×１２００にリサイズしてＣＤに書き込む「ＣＤ書き込み（１６００×１２００）」ボタン６１ｎなど、が用意されている。ジョブリスト領域６２には、作成中ジョブについて、その状況，ジョブＩＤ，サービス名，受付時間，更新時間，用紙サイズ，部数，合計枚数，コメントが一覧表示されるようになっている。また、メニュー画面６０には、ジョブリスト領域６２の下方には、「アプリケーションの終了」ボタン６３が設けられている他、画像の取込先の設定やサービスの設定，作業フォルダの設定，ＣＤ書き込みの設定，カラーマネージメントの設定などの各種設定を行なう「環境設定」ボタン６４が設けられている。
【００３６】
「環境設定」ボタン６４を操作した際に表示される環境設定選択画面６５の一例を図５に示す。この図５の例では、サービスの設定が選択されており、このサービスの設定の画面から「印刷プリンタの設定」ボタン６５ａを操作することにより印刷プリンタ設定画面６６が表示され、印刷プリンタのデフォルトの設定を行なうことができるようになっている。印刷プリンタ設定画面６６の一例を図６に示す。実施例の印刷プリンタ設定画面６６は、図示するように、左側に印刷サービスの一覧が表示されると共に上覧に用紙サイズが表示された帳票形式として構成されており、印刷サービス毎に用紙サイズ毎にデフォルトのプリンタが設定できるようになっている。各設定領域は、印刷するプリンタを設定する上段のプリンタ設定欄６７と、印刷用紙の種類を設定する下段の用紙種類設定欄６８との二段の設定欄として構成されている。各設定欄６７，６８は、プルダウンメニュー６７ａ，６８ｂを開いて表示される選択可能なプリンタや用紙種類から選択することにより設定できるようになっている。
【００３７】
店舗Ａの印刷ジョブ作成装置２０によりプリンタ設定欄６７のプルダウンメニュー６７ａを開いたときの一例を図７に示す。図示するように、プリンタ設定欄６７のプルダウンメニュー６７ａには、店舗Ａのローカルネットワーク１４に接続されたインクジェットプリンタ４６が表示される他、店舗Ｂのインクジェットプリンタ４７や大型プリンタ４８も表示される。ユーザは、印刷サービス毎および用紙サイズ毎のプリンタ設定欄６７のプルダウンメニュー６７ａから所望のプリンタを選択することにより、デフォルトのプリンタを設定することができる。ここで、ローカルネットワーク１４に接続されたプリンタ（インクジェットプリンタ４６）が選択されて設定されたときには、そのプリンタを印刷ジョブ作成装置２０に適合させるために印刷ジョブ作成装置２０にインストールされたプリンタドライバが用いられて印刷されるようプリンタドライバ名が設定され、ローカルネットワーク１５に接続されたプリンタ（インクジェットプリンタ４７や大型プリンタ４８）が選択されて設定されたときには、ローカルネットワーク１５に接続された印刷ジョブ作成装置２０のうち対応するプリンタのプリンタドライバがインストールされた印刷ジョブ作成装置２０の装置ＩＤと対応するプリンタＩＤとが設定される。こうしたプルダウンメニュー６７ａに表示されるプリンタやその設定項目については、それらを関連付けたテーブルを印刷ジョブ作成装置２０毎に作成して用いるものとしてもよいし、作成されたテーブルをジョブ管理装置４０から各印刷ジョブ作成装置２０に配信して用いるものとしてもよい。
【００３８】
店舗Ａの印刷ジョブ作成装置２０により用紙種類設定欄６８のプルダウンメニュー６８ａを開いたときの一例を図８に示す。図示するように、用紙種類設定欄６８のプルダウンメニュー６８ａには、普通紙やスーパーファイン専用紙，フォトプリント紙などの用紙種類が選択可能に表示される。ユーザは、印刷サービス毎および用紙サイズ毎の用紙種類設定欄６８のプルダウンメニュー６８ａから所望の用紙種類を選択することにより、デフォルトの用紙種類を設定することができる。なお、こうしたデフォルトのプリンタの設定や用紙種類の設定は、プリンタ設定管理部３０により実行されて管理されている。
【００３９】
実施例の印刷ジョブ作成装置２０による印刷ジョブの作成は、図９に例示する印刷ジョブ作成処理に基づいて行なわれる。印刷ジョブ作成処理は、まず、印刷サービスの選択を受け付ける処理から始まる（ステップＳ１００）。印刷サービスの選択は、ユーザが図４に例示したメニュー画面６０のサービス選択領域６１からいずれかのサービスボタン６１ａ〜６１ｎを選択することにより行なわれる。印刷ジョブ作成装置２０のサービス設定管理部２１は、こうしたメニュー画面６０の表示や選択されたサービスの選択の受け付け及び選択されたサービスによる印刷ジョブの作成の開始を管理している。
【００４０】
印刷サービスが選択されると、実施例の印刷ジョブ作成装置２０は、図１０に例示する画像登録画面７０を表示して、選択された印刷サービスに用いる画像の登録処理を実行する（ステップＳ１１０）。図１０の例の画像登録画面７０は、印刷ジョブの作成の工程を示す工程表示領域７１と、画像の登録処理を行なう画像登録処理領域７２とに区分けされている。工程表示領域７１には、選択された印刷サービスの種類を示す「サービス種類表示」ボタン７１ａや印刷ジョブの作成工程としての「画像登録」ボタン７１ｂ，「テンプレート選択」ボタン７１ｃ，「レイアウト編集」ボタン７１ｄ，「印刷」ボタン７１ｅ，印刷ジョブの作成を中断してメニュー画面６０に戻る「メニューに戻る」ボタン７１ｆが設けられている。画像登録処理領域７２は、「画像登録」ボタン７１ｂと連結して表示されており、印刷ジョブの作成工程が画像登録の工程にあることが解るようになっている。
【００４１】
この画像登録処理領域７２には、作業領域７３が設けられており、この作業領域７３には、画像が格納されている格納場所（ディレクトリやフォルダ）を選択することによりその格納場所に格納されている画像のサムネイルとファイル名とを一覧表示するための画像選択領域７４と、登録された画像のサムネイルとファイル名とを一覧表示するための登録画像表示領域７５とが設けられている。また、作業領域７３には、画像選択領域７４で選択された画像を登録して登録画像表示領域７５で表示するための「登録」ボタン７６や画像選択領域７４に表示されたすべての画像を登録して登録画像表示領域７５で表示するための「すべて登録」ボタン７７も設けられている。したがって、ユーザは、画像選択領域７４の格納場所表示領域７４ａから画像の格納場所を選択し、この選択により画像選択領域７４の画像表示領域７４ｂに表示される画像（選択された格納場所に格納された画像）から所望の画像を選択して「登録」ボタン７６を操作することにより所望の画像を登録して登録画像表示領域７５の画像表示領域７５ａに表示することができる。登録画像表示領域７５には、画像表示領域７５ａで選択した画像の登録を取り消すための「登録削除」ボタン７５ｂや登録されたすべての画像の登録を取り消すための「すべて登録削除」ボタン７５ｃなども設けられている。また、画像登録処理領域７２には、画像の登録処理を終了して次の作成工程に進むための「次のステップへ」ボタン７２ａや前の作成工程に戻る「前のステップへ」ボタン７２ｂも設けられている。なお、画像登録画面７０における「前のステップへ」ボタン７２ｂは、画像登録処理を終了してメニュー画面６０に戻るためのボタンとなるから、機能的には「メニューに戻る」ボタン７１ｆと同一となる。印刷ジョブ作成装置２０の画像登録管理部２２は、こうした画像の登録処理を管理している。
【００４２】
画像が登録されて「次のステップへ」ボタン７２ａが操作されると、図１１に例示するテンプレート選択画面８０を表示して、登録された画像をはめ込むためのテンプレートの選択処理を実行する（ステップＳ１２０）。図１１の例のテンプレート選択画面８０は、図１０に例示した画像登録画面７０の工程表示領域７１と同様の工程表示領域８１と、テンプレートの選択を行なうテンプレート選択処理領域８２とに区分けされている。このテンプレート選択画面８０では、工程表示領域８１の「テンプレート選択」ボタン８１ｃがテンプレート選択処理領域８２と連結されており、印刷ジョブの作成工程がテンプレート選択の工程にあることが解るようになっている。
【００４３】
テンプレート選択処理領域８２には、テンプレートの設定を行なうための設定領域８３と、テンプレートを選択するためのテンプレート選択領域８４とが設けられている。設定領域８３には、テンプレートとして使用する使用レイアウトを直接入力する入力欄やフチなしプリントを設定するためのチェックボックス，「Ｐｒｉｎｔ  Ｉｍａｇｅ  Ｍａｔｃｈｉｎｇ  ２」や「Ｅｘｉｆ  Ｐｒｉｎｔ」を使用してデジタルカメラとプリンタとのイメージマッチングを行なうためのチェックボックスが設けられている。テンプレート選択領域８４には、テンプレートの種類毎にタグ８５ａ〜８５ｆが設けられており、各タグ８５ａ〜８５ｆには、テンプレートのサムネイルとそのファイル名とを一覧表示するためのテンプレート表示領域８６ａ〜８６ｆが設けられている。ユーザは、各タグ８５ａ〜８５ｆから所望のタグを選択すると共に選択したタグのテンプレート表示領域に表示されたテンプレートから所望のテンプレートを選択することにより、テンプレートの選択を行なうことができる。なお、このテンプレートの選択が行なわれると、設定領域８３の使用レイアウトの入力欄に選択したファイル名が表示されるようになっている。なお、テンプレート選択領域８４には、用紙サイズを選択するための用紙サイズの選択入力欄も設けられている。また、テンプレート選択処理領域８２には、画像登録処理領域７２と同様に「次のステップへ」ボタン８２ａと「前のステップへ」ボタン８２ｂとが設けられている。テンプレート選択画面８０では、「前のステップへ」ボタン８２ｂが操作されると、画像登録画面７０を表示して印刷ジョブの作成工程における前の工程である画像の登録処理８ステップＳ１１０）に戻る。印刷ジョブ作成装置２０のテンプレート設定管理部２３は、こうしたテンプレートの選択処理を管理している。
【００４４】
テンプレートが選択されて「次のステップへ」ボタン８２ａが操作されると、図１２に例示するレイアウト編集画面９０を表示して、画像のレイアウトを調整したり編集を施すレイアウト編集処理を実行する（ステップＳ１３０）。図６の例のレイアウト編集画面９０は、図１０に例示した画像登録画面７０や図１１に例示したテンプレート選択画面８０の工程表示領域７１，８１と同様の工程表示領域９１と、画像のレイアウトや編集などを行なうためのレイアウト編集処理領域９２とに区分けされている。このレイアウト編集画面９０では、工程表示領域９１の「レイアウト編集」ボタン９１ｄがレイアウト編集処理領域９２と連結されており、印刷ジョブの作成工程がレイアウト編集の工程にあることが解るようになっている。
【００４５】
レイアウト編集処理領域９２には、選択されたテンプレートと登録された画像とを組み合わせて画像のレイアウトを行なったり画像の編集を行なうためのレイアウト編集領域９３と、テンプレートに組み合わせる画像を選択するための画像選択領域９４と、選択したテンプレートのサムネイルが表示されるサムネイル表示領域９７とが設けられている。画像選択領域９４には、登録画像を選択するためのタグ９５ａとテキストを書き込むためのタグ９５ｂとが設けられており、タグ９５ａには登録された画像とそのファイル名を一覧表示する画像表示領域９６ａが設けられている。また、図示しないが、タグ９５ｂには、テキストを入力するためのテキスト入力欄が設けられている。画像選択領域９４には、選択された画像をレイアウト編集領域９３のテンプレートに配置する「配置」ボタン９４ａや選択された画像をレイアウト編集領域９３のテンプレートに配置された画像と入れ替える「入れ替え」ボタン９４ｂと、選択された１枚の画像をテンプレートの複数の領域に配置する「複数配置」ボタン９４ｃとが設けられている。したがって、ユーザは、タグ９５ａの画像表示領域９６ａに表示された画像から所望の画像を選択して「配置」ボタン９４ａを操作することにより選択されたテンプレートの領域に順に画像を配置することができる。また、レイアウト編集領域９３のテンプレートの領域に画像が配置されている状態でタグ９５ａの画像表示領域９６ａに表示された画像から所望の画像を選択して「入れ替え」ボタン９４ｂを操作することによりテンプレートの領域の画像を入れ替えることができる。さらに、タグ９５ａの画像表示領域９６ａに表示された画像から所望の画像を選択して「複数配置」ボタン９４ｃを操作することによりテンプレートの複数の領域に選択した画像を複数配置することができる。レイアウト編集処理領域９２には、画像登録画面７０やテンプレート選択画面８０と同様に「次のステップへ」ボタン９２ａや「前のステップへ」ボタン９２ｂが設けられている。また、レイアウト編集処理領域９２には、レイアウト編集領域９３に表示されたテンプレートに組み込まれた画像に編集を加えるための「編集」ボタン９２ｃとレイアウト編集領域９３の表示倍率を変更するための「表示倍率」ボタン９２ｄとが設けられている。レイアウト編集領域９３のテンプレートに配置された画像を選択して「編集」ボタン９２ｃを操作すると、プルダウンメニューが表示され、回転，フレームの回転，上下左右の反転，トリミング，型抜き，輪郭をソフト・シャープにする，明るさ・コントラストの設定，色を変える，セピア・モノクロ調に変換，クロスフィルタ，赤目の修正，クローン，自動修正などが選択できるようになっている。印刷ジョブ作成装置２０のレイアウト編集管理部２４は、こうした画像のレイアウトや編集処理を管理している。
【００４６】
レイアウト編集画面９０により選択されたテンプレートに画像を組み込み、更に所望の編集を施して「次のステップへ」ボタン９２ａが操作されると、図１３に例示する印刷画面１００を表示して、種々の印刷設定を行なって印刷する印刷処理を実行する（ステップＳ１４０）。図１３の例の印刷画面１００は、画像登録画面７０やテンプレート選択画面８０，レイアウト編集画面９０の工程表示領域７１，８１，９１と同様の工程表示領域１０１と、印刷設定と印刷実行とを指示するための印刷処理領域１０２とに区分けされている。この印刷画面１００では、工程表示領域１０１の「印刷」ボタン１０１ｅが印刷処理領域１０２と連結されており、印刷ジョブの作成工程が印刷の工程にあることが解るようになっている。
【００４７】
印刷処理領域１０２には、テンプレートに組み込まれレイアウトや編集が施されて印刷される画像を表示する印刷画像表示領域１０３と、印刷ジョブの情報を表示するジョブ情報表示領域１０４と、印刷条件を設定する印刷条件設定領域１０５と、プリンタを設定するプリンタ設定領域１０６とが設けられている。ジョブ情報表示領域１０４には、印刷ジョブの情報としてジョブＩＤや受付日時，サービス，テンプレートＩＤなどが表示されており、印刷部数を選択入力する部数設定欄も設けられている。印刷条件設定領域１０５には、プリント範囲を設定するためのラジオボタンや設定欄，プリント対象を設定するためのラジオボタン，ページ番号を印刷するか否かを設定するためのラジオボタンが設けられている。プリンタ設定領域１０６には、印刷するプリンタを選択するプリンタ選択欄やカラーマネジメントシステム（ＣＭＳ）を使用するか否かを選択するためのチェックボックス，印刷領域を設定する領域設定入力欄などが設けられており、用紙サイズや選択したプリンタに設定されている用紙タイプも表示される。ここで、プリンタ設定領域１０６のプリンタ選択欄には、環境設定として図６に例示した印刷プリンタ設定画面６６を用いて印刷サービス毎および用紙サイズ毎に設定されたデフォルトのプリンタが表示される。印刷ジョブを実行するプリンタをデフォルトのプリンタから変更するときには、プリンタ設定領域１０６のプリンタ選択欄のプルダウンメニューを開いて表示されるプリンタを選択することにより行なう。また、用紙タイプには環境設定として図６に例示した印刷プリンタ設定画面６６を用いて印刷サービス毎および用紙サイズ毎に設定された用紙種類が表示される。印刷処理領域１０２には、「前のステップへ」ボタン１０２ｂや印刷の実行を指示する「印刷開始」ボタン１０２ｃ，印刷の代わりに画像ファイルとして所望のディレクトリやフォルダに書き出す「書き出し」ボタン１０２ｄが設けられている。実施例の印刷ジョブ作成装置２０における印刷ジョブの作成は、この「印刷開始」ボタン１０２ｃや「書き出し」ボタン１０２ｄが操作される前までの処理であり、「印刷開始」ボタン１０２ｃや「書き出し」ボタン１０２ｄの操作は、こうした印刷ジョブの実行となる。なお、図９の印刷ジョブ作成処理では、この段階で終了するものとして示した。実施例の印刷ジョブ作成装置２０の印刷管理部２５は、こうした印刷に関する処理を管理している。
【００４８】
次に、印刷画面１００で「印刷開始」ボタン１０２ｃが操作されたときの処理について説明する。図１４は、「印刷開始」ボタン１０２ｃが操作されたときに印刷ジョブ作成装置２０で実行される印刷指示処理の一例を示すフローチャートである。印刷指示処理が実行されると、まず、印刷ジョブを実行すべきプリンタとして設定された値（プリンタ設定）を入力し（ステップＳ２００）、このプリンタがローカルネットワーク１４を介して接続されたローカルプリンタ（インクジェットプリンタ４６）であるか否かを判断する（ステップＳ２１０）。ローカルプリンタであるか否かの判断は、図６の印刷プリンタ設定画面６６を用いて説明したように、実施例のプリンタの設定では、ローカルプリンタであるときには印刷ジョブ作成装置２０にインストールされたプリンタドライブ名が設定されており、ローカルプリンタではないときには他のローカルネットワーク１５に接続された印刷ジョブ作成装置２０の装置ＩＤと対応するプリンタＩＤとが設定されているから、これにより行なうことができる。
【００４９】
プリンタ設定がローカルプリンタ（インクジェットプリンタ４６）であるときは、そのプリンタドライバを起動して印刷用データを作成し（ステップＳ２２０）、作成した印刷用データをローカルプリンタに出力する（ステップＳ２３０）。ローカルプリンタ（インクジェットプリンタ４６）は、印刷用データに基づいて印刷を実行する。
【００５０】
一方、プリンタ設定がローカルプリンタ（インクジェットプリンタ４６）ではないときは、印刷ジョブをジョブファイルとしてファイル化し（ステップＳ２４０）、ジョブファイルをジョブ管理装置４０に送信する（ステップＳ２５０）。図１５は、印刷ジョブの管理状態の一例を示す説明図である。印刷ジョブは、印刷サービスが選択されたときにジョブＩＤが付与されてジョブ管理ファイル１２０に登録されると共に管理領域１２２が作成される。そして、画像登録画面７０により画像が登録される際に画像登録用領域１２４が設けられる。管理領域１２２は、印刷ジョブの作成工程がどの工程にあるかを示すジョブ状態や作成中ジョブに含まれる各ページのファイル名が格納される作品管理領域１２２ａと、各ページが格納されるページ格納領域１２２ｂとにより構成されている。ページ格納領域１２２ｂは、ページの概念が生じるテンプレートが選択された段階で作成される。画像登録用領域１２４は、各画像のファイル名やファイル形式が格納される画像管理領域１２４ａと、ファイル形式毎に画像が格納される画像格納領域１２４ｂとにより構成されている。なお、実施例の印刷ジョブ作成装置２０では、テンプレートの選択処理が実行されるまでは、ページの概念が生じないため、テンプレートが選択されたとき、即ちレイアウト編集処理に移行したときに管理領域１２２のページ格納領域１２２ｂは作成されることになる。実施例の印刷指示処理のステップＳ２４０の処理では、作品管理領域１２２ａおよびページ格納領域１２２ｂの内容をジョブファイルとしてファイル化する処理となる。図１６にジョブファイルのデータ構成の一例を示す。実施例では、ジョブファイルに含まれるデータとしては、ジョブ管理装置４０に送信する際に印刷ジョブ作成装置２０で設定する送信用ジョブＩＤや送信元の印刷ジョブ作成装置２０の装置ＩＤ，送信先の印刷ジョブ作成装置２０の装置ＩＤ，印刷ジョブを実行するプリンタのＩＤ（プリンタＩＤ），用紙種類，送信日時，ページ毎の画像データや印刷設定などのジョブデータが含まれる。
【００５１】
図１７は、印刷ジョブ作成装置２０から送信されるジョブファイルを受信する際にジョブ管理装置４０で実行されるジョブ受信管理処理の一例を示すフローチャートである。ジョブ受信管理処理では、印刷ジョブ作成装置２０からジョブファイルが送信されると、ジョブファイルを受信すると共に（ステップＳ３００）、ジョブファイルに含まれるジョブデータをハードディスクなどの図示しない記憶装置に格納し（ステップＳ３１０）、ジョブファイルを管理するためのジョブ管理データをジョブ管理データベース４４に登録する（ステップＳ６２０）。ジョブ管理データベース４４に登録されるジョブ管理データのデータ構造の一例を図１８に示す。この例では、ジョブ管理データとしては、登録順に付与されるジョブ番号，送信用ジョブＩＤ，送信元の印刷ジョブ作成装置２０の装置ＩＤ，送信先の印刷ジョブ作成装置２０の装置ＩＤ，印刷ジョブを実行するプリンタのＩＤ（プリンタＩＤ），用紙種類，ジョブファイルを受信した受信日時，ジョブファイルを送信先の印刷ジョブ作成装置２０に送信した送信日時，ジョブデータの格納先などが含まれる。これらのデータのうち、「送信日時」以外の各データがジョブ受信管理処理のステップＳ６１０の処理で登録され、「送信日時」についてはジョブファイルを送信先の印刷ジョブ作成装置２０に送信したときに登録される。
【００５２】
こうしてジョブ管理装置４０のジョブ管理データベース４４に登録された印刷ジョブは、ローカルネットワーク１５に接続された印刷ジョブ作成装置２０によるジョブファイルの送信の要請がなされたときに、ジョブファイルとして要請先の印刷ジョブ作成装置２０に送信される。図１９は、印刷ジョブ作成装置２０によるジョブファイルの送信の要請がなされたときにジョブ管理装置４０により実行されるジョブ送信管理処理の一例を示すフローチャートである。このジョブ送信管理処理は、ジョブ送信管理処理が実行されると、ジョブ管理装置４０は、ジョブ管理データベース４４から要請先の印刷ジョブ作成装置２０の装置ＩＤと送信先の印刷ジョブ作成装置２０の装置ＩＤとが一致する未送信のジョブ管理データを抽出し（ステップＳ４００）、ジョブ管理データにおけるジョブデータ格納先からジョブデータを読み出して受信したジョブファイルとして要請先の印刷ジョブ作成装置２０に送信する（ステップＳ４１０）。このとき、対応するジョブ管理データの送信日時にその日時が登録される。
【００５３】
ローカルネットワーク１５の印刷ジョブ作成装置２０では、ジョブ管理装置４０からジョブファイルが送信されると、図２０に例示するジョブ受信処理のステップＳ５１０以降の処理として処理される。この図２０のジョブ受信処理には、ジョブ管理装置４０にジョブファイルの送信を要請する処理（ステップＳ５００）も示されている。ジョブファイルの送信の要請に基づいてジョブ管理装置４０からジョブファイルが送信されると、印刷ジョブ作成装置２０では、ジョブファイルを受信し（ステップＳ５１０）、受付順のジョブＩＤを付与し（ステップＳ５２０）、ジョブファイルを印刷ジョブとして対応する管理領域１２２の作品管理領域１２２ａやページ格納領域１２２ｂを作成して格納し（ステップＳ５３０）、印刷ジョブに設定されたプリンタＩＤに一致するローカルネットワーク１５に接続されたプリンタを印刷すべきプリンタとして設定し（ステップＳ５４０）、受信したジョブをジョブリスト領域６２に表示する（ステップＳ５５０）。図２１は、ジョブファイルを受信したときの印刷ジョブの管理状態の一例を示す説明図である。この図２１の例では、ジョブファイルを受信すると、「０００ＸＸ」のジョブＩＤを付与すると共にこのジョブＩＤ「０００ＸＸ」に対応する作品管理領域１２２ａ，ページ格納領域１２２ｂを含む管理領域１２２を作成して受信したジョブファイルを印刷ジョブに変換して格納している。上述したように、実施例では、ジョブファイルは作品管理領域１２２ａとページ格納領域１２２ｂとの内容をファイル化するから、ジョブ受信処理では管理領域１２２に属する部分だけが作成され、画像登録用領域１２４に属する部分については作成されない。なお、メニュー画面６０のジョブリスト領域６２に表示される印刷ジョブは、状況の欄には「実行指示」と表示され、コメントの欄には「店舗Ａ」が表示される。したがって、ユーザは、受信したジョブであるか否かを判別することができると共に印刷ジョブを実行して得られる印刷物を店舗Ａに配送する必要があることが解る。
【００５４】
こうしてジョブファイルを受信した印刷ジョブ作成装置２０では、メニュー画面６０のジョブリスト領域６２に表示された印刷ジョブが選択されると、図１３に例示する印刷画面１００を表示し、「印刷開始」ボタン１０２ｃが操作されると、図１４に例示した印刷指示処理によって設定されたプリンタによる印刷ジョブの実行を指示する。こうして店舗Ａの印刷ジョブ作成装置２０により作成された印刷ジョブを店舗Ｂに設置されたプリンタで実行することができる。
【００５５】
いま、店舗Ａの印刷ジョブ作成装置２０で図６の印刷プリンタ設定画面６６により大伸ばしのＡ１サイズのデフォルトのプリンタとして店舗Ｂの大型プリンタ４８が設定され、印刷サービスとして大伸ばしが選択されて印刷ジョブが作成され、図１３の印刷画面１００でプリンタ設定がデフォルトのまま「印刷開始」ボタン１０２ｃが操作されたときを考える。大伸ばしのＡ１サイズのデフォルトのプリンタ設定には大型プリンタ４８のプリンタドライバがインストールされた店舗Ｂの印刷ジョブ作成装置２０の装置ＩＤと大型プリンタ４８のプリンタＩＤが設定されているから、「印刷開始」ボタン１０２ｃが操作されることにより、この印刷ジョブは店舗Ｂの印刷ジョブ作成装置２０の装置ＩＤと大型プリンタ４８のプリンタＩＤとを含むジョブファイルとしてジョブ管理装置４０に送信され、ジョブ管理データベース４４に登録される。店舗Ｂの印刷ジョブ作成装置２０からジョブ管理装置４０に対してジョブファイルの送信の要請がなされると、ジョブ管理装置４０は店舗Ｂの印刷ジョブ作成装置２０の装置ＩＤと大型プリンタ４８のプリンタＩＤとを含むジョブファイルを店舗Ｂの印刷ジョブ作成装置２０に送信する。店舗Ｂの印刷ジョブ作成装置２０では、この印刷ジョブを格納し、大型プリンタ４８のプリンタＩＤに基づいてプリンタ設定を大型プリンタ４８に設定し、ジョブリスト領域６２の状況の欄に「実行指示」と表示すると共にコメントの欄に「店舗Ａ」と表示する。そして、店舗Ｂの印刷ジョブ作成装置２０でこの印刷ジョブが選択されて印刷画面１００で「印刷開始」ボタン１０２ｃが操作されると、プリンタ設定で設定された大型プリンタ４８で印刷ジョブが実行される。
【００５６】
実施例の印刷ジョブ作成装置２０では、この他、作成中の印刷ジョブの作成を中断したり、中断した印刷ジョブの作成を再開することもできる。この印刷ジョブの作成の中断は、画像登録画面７０やテンプレート選択画面８０，レイアウト編集画面９０，印刷画面１００で「メニューに戻る」ボタン７１ｆ，８１ｆ，９１ｆ，１０１ｆが操作されたときにジョブ中断処理部２６により行なわれ、作成中の状態を管理領域１２２（作品管理領域１２２ａやページ格納領域１２２ｂ）や画像登録用領域１２４（図１５参照）に格納し、メニュー画面６０を表示してジョブリスト領域６２に作成中のジョブを一覧表示する。この場合、ジョブリスト領域６２の状況の欄には、テンプレートが選択される前の段階で「メニューに戻る」ボタン７１ｆ，８１ｆが操作されたときには「編集前」と表示され、テンプレートが選択された後の段階で「メニューに戻る」ボタン９１ｆ，１０１ｆが操作されたときには「編集中」と表示される。こうした状況の表示により、ユーザは作成中ジョブがテンプレートが選択された後の段階であるか否かを把握することができる。中断した印刷ジョブの作成の再開は、ジョブリスト領域６２から印刷ジョブが選択されたときにジョブ再開処理部２７により行なわれる。具体的には、ジョブＩＤに基づいて対応する作成中の印刷ジョブの作品管理領域１２２ａからジョブの状態を読み込み、ジョブの状態に応じた処理画面を表示し、対応する作成中の印刷ジョブのページ格納領域１２２ｂに格納された各ページを用いて作成中ジョブを再現することにより行なわれる。なお、こうした印刷ジョブの中断や再開は、本発明の中核をなさないから、これ以上の説明は省略する。
【００５７】
以上説明した実施例の印刷ジョブ作成装置２０によれば、この印刷ジョブ作成装置２０が接続されたローカルネットワークとは異なるローカルネットワークに接続されているローカルプリンタをこの印刷ジョブ作成装置２０が接続されたローカルネットワークに接続されているプリンタと同様にして印刷ジョブを実行するデフォルトのプリンタとして設定することができる。したがって、作成した印刷ジョブを異なるローカルネットワークに接続されたプリンタで容易に実行することができる。しかも、デフォルトのプリンタの設定は、印刷サービス毎および用紙サイズ毎に行なうことができる。この結果、印刷ジョブに応じたプリンタ設定を印刷ジョブ毎に設定する必要がない。したがって、印刷ジョブに応じたプリンタで容易に印刷ジョブを実行することができる。また、実施例の印刷ジョブ作成装置２０では、デフォルトのプリンタの設定は帳票形式で行なうから、印刷サービス毎および用紙サイズ毎に容易にデフォルトのプリンタを設定することができる。さらに、実施例の印刷ジョブ作成装置２０によれば、印刷サービス毎および用紙サイズ毎に用紙種類を設定することができる。
【００５８】
実施例のジョブ管理装置４０によれば、印刷ジョブ作成装置２０から送信されたジョブファイルを受信してジョブ管理データベース４４に登録し、送信先の印刷ジョブ作成装置２０から要請されたときに登録したジョブファイルを要請先の印刷ジョブ作成装置２０に送信することができる。したがって、送信先の印刷ジョブ作成装置２０の状態に拘わらず、その印刷ジョブ作成装置２０を送信先としてジョブファイルを送信することができる。この結果、印刷ジョブ作成装置２０間のジョブファイルのやりとりを管理することができる。
【００５９】
こうした実施例の印刷ジョブ作成装置２０やジョブ管理装置４０を備える印刷ジョブ管理システム１０によれば、異なるローカルネットワーク１４，１５に接続された印刷ジョブ作成装置２０間で印刷ジョブを実行を効率よく行なうことができる。
【００６０】
ここで、実施例の印刷ジョブ作成装置２０は、サービス設定管理部２１や画像登録管理部２２，テンプレート設定管理部２３，レイアウト編集管理部２４，印刷管理部２５が印刷ジョブ作成手段に相当し、プリンタ設定管理部３０がデフォルト装置設定手段に相当し、印刷画面１００の「印刷開始」ボタン１０２ｃが操作されたときに図１４の印刷指示処理を実行する印刷管理部２５がジョブ実行指示手段に相当する。
【００６１】
実施例の印刷ジョブ作成装置２０は、ジョブ管理装置４０を備え、印刷画面１００の「印刷開始」ボタン１０２ｃが操作されたときに、デフォルトのプリンタが異なるネットワークに接続されているときには印刷ジョブをジョブファイルとしてジョブ管理装置４０に送信し、送信先の印刷ジョブ作成装置２０がジョブ管理装置４０にジョブファイルの送信を要求したときにジョブ管理装置４０からジョブファイルを送信するものとしたが、ジョブ管理装置４０のない構成としてもよい。この場合、印刷ジョブ作成装置２０からジョブファイルを直接送信先の印刷ジョブ作成装置２０に送信すればよい。
【００６２】
実施例の印刷ジョブ作成装置２０では、印刷サービス毎および用紙サイズ毎にデフォルトのプリンタと用紙種類とを設定するものとしたが、印刷サービス毎および用紙サイズ毎にデフォルトのプリンタは設定するが、用紙種類は設定しないものとしてもよい。また、デフォルトのプリンタは、印刷サービス毎および用紙サイズ毎に設定する必要はなく、印刷サービスには拘わらず、用紙サイズ毎に設定するものとしてもよい。
【００６３】
実施例の印刷ジョブ作成装置２０では、帳票形式により印刷サービス毎および用紙サイズ毎のデフォルトのプリンタと用紙種類とを設定するものとしたが、帳票形式以外の形式により印刷サービス毎および用紙サイズ毎のデフォルトのプリンタと用紙種類とを設定するものとしてもよい。
【００６４】
実施例の印刷ジョブ作成装置２０では、メニュー画面６０から印刷サービスとして、大伸ばし，ダイジェスト，カレンダー，アイデア，ポストカード，写真名刺，証明写真，インデックス，シール，ラベルから選択できるものとしたが、これらのすべての印刷サービスを選択できる必要はなく、これらの印刷サービスの一部から選択できるものとしたり、これらの印刷サービスとは異なる印刷サービスから選択できるものとしたり、これらの印刷サービスとは異なる印刷サービスとこれらの印刷サービスとを組み合わせたサービスから選択できるものとしてもよい。
【００６５】
実施例の印刷ジョブ作成装置２０では、印刷サービスの他にアルバムサービスやＣＤ書き込みサービスを選択することができるものとしたが、こうしたアルバムサービスやＣＤ書き込みサービスを選択することができないものとしてもよい。また、ＣＤ書き込みサービスに代えて他の記憶媒体、例えばフレキシブルディスクやＭＤ，ＤＶＤ，フラッシュメモリなどへの書き込みサービスを行なうものとしてもよい。
【００６６】
実施例の印刷ジョブ作成装置２０では、ジョブリスト領域６２に作成中ジョブの情報として、状況，ジョブＩＤ，サービス名，受付時間，更新時間，用紙サイズ，部数，合計枚数，コメントを表示するものとしたが、これらの情報のすべてを表示する必要はなく、これらの情報のうちの一部の情報を表示するものとしたり、これらの情報とは異なる情報を表示するものとしてたり、これらの情報と箱となる情報とこれらの情報の一部とを組み合わせた情報を表示するものとしてもよい。
【００６７】
実施例の印刷ジョブ作成装置２０では、印刷ジョブの作成工程は、印刷サービスの選択した後の工程として，画像の登録処理の工程，テンプレートの選択処理の工程，レイアウトや編集の処理の工程，印刷の工程の４つの工程としたが、工程の設定は如何なる設定としてもかまわない。
【００６８】
実施例の印刷ジョブ作成装置２０では、印刷ジョブの中断は如何なる工程のどの状態でも可能なものとしたが、予め定めた工程の状態のときだけ中断できるものとしてもよい。
【００６９】
実施例では、本発明の一実施形態として印刷ジョブ作成装置２０の形態やジョブ管理装置４０の形態，印刷ジョブ作成装置２０とジョブ管理装置４０とを備える印刷ジョブ管理システム１０の形態として説明したが、デフォルトのプリンタを設定する方法の形態としたり、こうしたデフォルトのプリンタの設定方法を用いて印刷ジョブを作成して実行の指示を与える印刷実行指示方法の形態としてもよい。また、コンピュータを印刷ジョブ作成装置２０として機能させるプログラムの形態としたり、コンピュータにデフォルトのプリンタの設定方法に実現させるプログラムの形態としたり、コンピュータに印刷実行指示方法を実行させるプログラムの形態としてもよい。このプログラムの形態の場合、印刷ジョブ作成装置２０の動作やジョブ管理装置４０の動作として説明した各動作を各手順として適当なプログラミング言語を用いてプログラムすればよい。
【００７０】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【図１】印刷ジョブ管理システム１０の構成の概略を示す構成図。
【図２】印刷ジョブ作成装置２０の構成の概略を示す説明図。
【図３】ジョブ管理装置４０の構成の概略を示す構成図。
【図４】メニュー画面６０の一例を示す説明図。
【図５】環境設定選択画面６５の一例を示す説明図。
【図６】印刷プリンタ設定画面６６の一例を示す説明図。
【図７】プリンタ設定欄６７のプルダウンメニューの一例を示す説明図。
【図８】用紙種類設定欄６８のプルダウンメニューの一例を示す説明図。
【図９】印刷ジョブ作成処理の一例を示すフローチャート。
【図１０】画像登録画面７０の一例を示す説明図。
【図１１】テンプレート選択画面８０の一例を示す説明図。
【図１２】レイアウト編集画面９０の一例を示す説明図。
【図１３】印刷画面１００の一例を示す説明図。
【図１４】印刷指示処理の一例を示すフローチャート。
【図１５】印刷ジョブの管理状態の一例を示す説明図。
【図１６】ジョブファイルのデータ構成の一例を示す説明図。
【図１７】ジョブ受信管理処理の一例を示すフローチャート。
【図１８】ジョブ管理データのデータ構造の一例を示す説明図。
【図１９】ジョブ送信管理処理の一例を示すフローチャート。
【図２０】ジョブ受信処理の一例を示すフローチャート。
【図２１】印刷ジョブの管理状態の一例を示す説明図。
【符号の説明】
１０  印刷ジョブ管理システム、１２  ネットワーク、１４，１５  ローカルネットワーク、１６，１７  ファイヤウォール、２０  印刷ジョブ作成装置、２１  サービス設定管理部、２２  画像登録管理部、２３  テンプレート設定管理部、２４  レイアウト編集管理部、２５  印刷管理部、２６  ジョブ中断処理部、２７  ジョブ再開処理部、２８  ジョブ送信管理部、２９  ジョブ受信管理部、３０  プリンタ設定管理部、４０  ジョブ管理装置、４１  ジョブ受信管理部、４２  ジョブ送信管理部、４４  ジョブ管理データベース、４６，４７  インクジェットプリンタ、４８  大型プリンタ、６０  メニュー画面、６１  サービス選択領域、６２  ジョブリスト領域、６３  「アプリケーションの終了」ボタン、６４  「環境設定」ボタン、６５  環境設定選択画面、６５ａ  「印刷プリンタの設定」ボタン、６６  印刷プリンタ設定画面、６７  プリンタ設定欄、６７ａ  プルダウンメニュー、６８  用紙種類設定欄、６８ａ  プルダウンメニュー、７０  画像登録画面、７１，８１，９１，１０１  工程表示領域、７１ａ，８１ａ，９１ａ，１０１ａ  「サービス種類表示」ボタン，７１ｂ，８１ｂ，９１ｂ，１０１ｂ  「画像登録」ボタン、７１ｃ，８１ｃ，９１ｃ，１０１ｃ  「テンプレート選択」ボタン、７１ｄ，８１ｄ，９１ｄ，１０１ｄ  「レイアウト編集」ボタン、７１ｅ，８１ｅ，９１ｅ，１０１ｅ  「印刷」ボタン、７１ｆ，８１ｆ，９１ｆ，１０１ｆ  「メニューに戻る」ボタン、７２  画像登録処理領域、７２ａ，８２ａ，９２ａ  「次のステップへ」ボタン、７２ｂ，８２ｂ，９２ｂ，１０２ｂ  「前のステップへ」ボタン、７３  作業領域、７４  画像選択領域、７４ａ  格納場所表示領域７４ａ，７４ｂ  画像表示領域、７５  登録画像表示領域、７５ａ  画像表示領域、７５ｂ  「登録削除」ボタン、７５ｃ  「すべて登録削除」ボタン、７６  「登録」ボタン、７７  「すべて登録」ボタン、８０  テンプレート選択画面、８２  テンプレート選択処理領域、８３  設定領域、８４  テンプレート選択領域、８５ａ〜８５ｆ  タグ、８６ａ  テンプレート表示領域、９０  レイアウト編集画面、９２  レイアウト編集処理領域、９２ｃ  「編集」ボタン、９２ｄ  「表示倍率」ボタン、９３  レイアウト編集領域、９４  画像選択領域、９４ａ  「配置」ボタン、９４ｂ  「入れ替え」ボタン、９４ｃ  「複数配置」ボタン、９５ａ，９５ｂ  タグ、９６ａ  画像表示領域、９７  サムネイル表示領域、１００  印刷画面、１０２  印刷処理領域、１０２ｃ  「印刷開始」ボタン、１０２ｄ  「書き出し」ボタン、１０３  印刷画像表示領域、１０４  ジョブ情報表示領域、１０５  印刷条件設定領域、１０６プリンタ設定領域、１２０  ジョブ管理ファイル、１２２  管理領域、１２２ａ  作品管理領域、１２２ｂ  ページ格納領域、１２４  画像登録用領域、１２４ａ  画像管理領域、１２４ｂ  画像格納領域。
【図１】
2004280162.tif 000003
【図２】
2004280162.tif 000004
【図３】
2004280162.tif 000005
【図４】
2004280162.tif 000006
【図５】
2004280162.tif 000007
【図６】
2004280162.tif 000008
【図７】
2004280162.tif 000009
【図８】
2004280162.tif 000010
【図９】
2004280162.tif 000011
【図１０】
2004280162.tif 000012
【図１１】
2004280162.tif 000013
【図１２】
2004280162.tif 000014
【図１３】
2004280162.tif 000015
【図１４】
2004280162.tif 000016
【図１５】
2004280162.tif 000017
【図１６】
2004280162.tif 000018
【図１７】
2004280162.tif 000019
【図１８】
2004280162.tif 000020
【図１９】
2004280162.tif 000021
【図２０】
2004280162.tif 000022
【図２１】
2004280162.tif 000023